(57)【要約】【課題】  簡易な構成で、使いやすい物理量を測定するための測定装置と測定方法と測定プログラムとを提供しようとする。【解決手段】  従来の物理量を測定する測定装置にかわって、物理量に対応する測定値を決定する測定部と、前記測定値を表示する表示部と、を備え、内部に記録された複数の前記測定値を前記表示部に表示して、前記表示部に表示された複数の前記測定値の内から少なくとも一つの前記測定値を選択させ、測定中の前記測定値を前記表示部に表示すると同時に選択された前記測定値を前記比較値として前記表示部に表示するものとした。【選択図】    図７
2007010315.tif 000002
【特許請求の範囲】
【請求項１】
物理量を測定する測定装置であって、
物理量に対応する測定値を決定する測定部と、
前記測定値を表示する表示部と、
を備え、
測定中の前記測定値を前記表示部に表示すると同時に内部に記録された他の前記測定値を比較値として前記表示部に表示する、
ことを特徴とする測定装置。
【請求項２】
内部に記録された複数の前記測定値を前記表示部に表示して、前記表示部に表示された複数の前記測定値の内から少なくとも一つの前記測定値を選択させ、
測定中の前記測定値を前記表示部に表示すると同時に選択された前記測定値を前記比較値として前記表示部に表示する、
ことを特徴とする請求項１に記載の測定装置。
【請求項３】
物理量を測定する測定装置であって、
物理量に対応する測定値を決定する測定部と、
前記測定値を表示する表示部と、
を備え、
複数の政府または地方公共団体の内から少なくとも一つの政府または地方公共団体を選択させ、
測定中の前記測定値を前記表示部に表示すると同時に選択された政府または地方公共団体が定めた基準値を比較値として前記表示部に表示する、
ことを特徴とする測定装置。
【請求項４】
物理量を測定する測定装置であって、
物理量に対応する測定値を決定する測定部と、
前記測定値を表示する表示部と、
を備え、
郵便番号を入力または選択させ、
測定中の前記測定値を前記表示部に表示すると同時に入力または選択された郵便番号に対応する地区の政府または地方公共団体が定めた基準値を比較値として前記表示部に表示する、
ことを特徴とする測定装置。
【請求項５】
直交グラフが前記表示部に表示され、
前記測定値がすくなくとも２つの値の組み合わせであり、
測定中の前記測定値または他の前記測定値の一方を前記直交グラフに２つの前記値を要素に持つベクトルで表示され、
測定中の前記測定値または他の前記測定値の他方を前記直交グラフに２つの前記値を要素に持つ点で表示される、
ことを特徴とする請求項１に記載の測定装置。
【請求項６】
物理量を測定する測定方法であって、
物理量に対応する測定値を決定する測定工程と、
測定中の前記測定値を表示すると同時に内部に記録された他の前記測定値を比較値として表示する表示工程と、
を備えることを特徴とする測定方法。
【請求項７】
内部に記録された複数の前記測定値を表示して、表示された複数の前記測定値の内から少なくとも一つの前記測定値を選択させる選択工程を備え、
前記表示工程が測定中の前記測定値を表示すると同時に選択された前記測定値を前記比較値として表示する、
ことを特徴とする請求項６に記載の測定方法。
【請求項８】
物理量を測定する測定方法であって、
物理量に対応する測定値を決定する測定工程と、
複数の政府または地方公共団体の内から少なくとも一つの政府または地方公共団体を選択させる選択工程と、
測定中の前記測定値を表示すると同時に選択された政府または地方公共団体が定めた基準値を比較値として表示する表示工程と、
を備えることを特徴とする測定方法。
【請求項９】
物理量を測定する測定方法であって、
物理量に対応する測定値を決定する測定工程と、
郵便番号を入力または選択させる選択工程と、
測定中の前記測定値を表示すると同時に入力または選択された郵便番号に対応する地区の政府または地方公共団体が定めた基準値を前記比較値として表示する表示工程と、
を備えることを特徴とする測定方法。
【請求項１０】
政府または地方公共団体の定めた基準値を順次更新して記憶するサーバを準備するサーバ準備工程と、
前記サーバから前記基準値をダウンロードして記録するパソコンを準備するパソコン準備工程と、
前記パソコンに前記測定値をアップロードする際に前記パソコンから前記基準値をダウンロードして内部に記憶された前記基準値を更新する更新工程と、
を備えることを特徴とする請求項８または請求項９のうちのひとつに記載の測定方法。
【請求項１１】
物理量を測定する測定プログラムであって、
コンピュータに、
物理量に対応する測定値を決定する測定機能と、
測定中の前記測定値を表示すると同時に内部に記録された他の前記測定値を比較値として表示する表示機能と、
を実行させることを特徴とする測定プログラム。
【請求項１２】
コンピュータに、
内部に記録された複数の前記測定値を表示して、表示された複数の前記測定値の内から少なくとも一つの前記測定値を選択させる選択機能を実行させ、
前記表示機能が測定中の前記測定値を表示すると同時に選択された前記測定値を前記比較値として表示する、
ことを特徴とする請求項１１に記載の測定プログラム。
【請求項１３】
物理量を測定する測定プログラムであって、
コンピュータに、
物理量に対応する測定値を決定する測定機能と、
複数の政府または地方公共団体の内から少なくとも一つの政府または地方公共団体を選択させる選択機能と、
測定中の前記測定値を表示すると同時に選択された政府または地方公共団体が定めた基準値を比較値として表示する表示機能と、
を実現させることを特徴とする記載の測定プログラム。
【請求項１４】
物理量を測定する測定プログラムであって、
コンピュータに、
物理量に対応する測定値を決定する測定機能と、
郵便番号を入力または選択させる選択機能と、
測定中の前記測定値を表示すると同時に入力または選択された郵便番号に対応する地区の政府または地方公共団体が定めた基準値を前記比較値として表示する表示機能と、
を実現させることを特徴とする測定プログラム。
【請求項１５】
コンピュータに、
パソコンに前記測定値をアップロードする際に前記パソコンから前記基準値をダウンロードして内部に記憶された前記基準値を更新する更新機能を
実現させる請求項１３または請求項１４のうちのひとつに記載の測定プログラム。
【発明の詳細な説明】
【技術分野】
【０００１】
本発明は、物理量を測定する測定装置と測定方法と測定プログラムとに係る。特に物理量を測定した測定値を表示する構造と手順に特徴のある測定装置と測定方法と測定プログラムとに関する。
【背景技術】
【０００２】
物理量を測定するのに測定装置が用いられる。
例えば、匂いを測定する匂い測定装置がある。
匂い測定装置は、測定部と表示部とで構成される。測定部は、気体の匂いの強さを表す匂香強度値または匂いの種類を表す香質値を決定する。
表示部は、決定した匂香強度値と香質値とを表示する。
【０００３】
匂いを測定する際に、測定中の測定値を、他の測定値と比較したい場合がある。
例えば、敷地境界の東側での匂いを測定する際に、敷地境界の西側で計測した匂いの測定値と比較したい。
また、脱臭した気体の匂いを測定する際に、脱臭する前の気体の匂いの測定値と比較したい。
また、夕方の匂いを測定する際に、朝方に測定した匂いの測定値と比較したい。
従来は、比較のための測定値をノート等に転記し、測定中の測定とノート上の測定値とを比較していた。
【０００４】
また、匂いを測定する際に、測定中の測定値と政府または地方公共団体が法令または条例等で規定した環境基準値と比較したい場合がある。
しかし、政府または地方公共団体毎に環境基準値が異なり、また見過ごしている間に法令または条例等が改正されて環境基準値が変わってしまうことがある。
また、例えば、工業地区と商標地区と住居地区で異なる基準値が定められている場合がある。
また、測定している現場が、どの政府または地方公共団体のどの環境基準値を適用されるのかをチェックするのが煩雑である場合がある。
【０００５】
【特許文献１】特開２００１−３５６０２９号
【特許文献２】特開２００３−４２９８８号
【特許文献３】登録実用新案第３０７４４９４号
【発明の開示】
【発明が解決しようとする課題】
【０００６】
本発明は以上に述べた問題点に鑑み案出されたもので、簡易な構成で、使いやすい物理量を測定するための測定装置と測定方法と測定プログラムとを提供しようとする。
【課題を解決するための手段】
【０００７】
上記目的を達成するため、本発明に係る物理量を測定する測定装置を、物理量に対応する測定値を決定する測定部と、前記測定値を表示する表示部と、を備え、測定中の前記測定値を前記表示部に表示すると同時に内部に記録された他の前記測定値を比較値として前記表示部に表示するものとした。
【０００８】
上記本発明の構成により、測定部が物理量に対応する測定値を決定する。表示部が前記測定値を表示する。測定中の前記測定値を前記表示部に表示すると同時に内部に記録された他の前記測定値を比較値として前記表示部に表示する。その結果、他の測定値と測定中の測定値と比較できる。
【０００９】
さらに、本発明の実施形態に係る測定装置は、内部に記録された複数の前記測定値を前記表示部に表示して、前記表示部に表示された複数の前記測定値の内から少なくとも一つの前記測定値を選択させ、測定中の前記測定値を前記表示部に表示すると同時に選択された前記測定値を前記比較値として前記表示部に表示する。
上記本発明の構成により、内部に記録された複数の前記測定値を前記表示部に表示する。前記表示部に表示された複数の前記測定値の内から少なくとも一つの前記測定値を選択させる。測定中の前記測定値を前記表示部に表示すると同時に選択された前記測定値を前記比較値として前記表示部に表示する。その結果、過去に測定された測定値と測定中の測定値とを比較できる。
【００１０】
上記目的を達成するため、本発明に係る物理量を測定する測定装置を、物理量に対応する測定値を決定する測定部と、前記測定値を表示する表示部と、を備え、複数の政府または地方公共団体の内から少なくとも一つの政府または地方公共団体を選択させ、測定中の前記測定値を前記表示部に表示すると同時に選択された政府または地方公共団体が定めた基準値を比較値として前記表示部に表示するものとした。
【００１１】
上記本発明の構成により、測定部が物理量に対応する測定値を決定する。表示部が前記測定値を表示する。複数の政府または地方公共団体の内から少なくとも一つの政府または地方公共団体を選択させる。測定中の前記測定値を前記表示部に表示すると同時に選択された政府または地方公共団体が定めた基準値を比較値として前記表示部に表示する。その結果、少なくとも一つの政府または地方公共団体の定めた基準値と測定中の測定値とを比較できる。
【００１２】
上記目的を達成するため、本発明に係る物理量を測定する測定装置を、物理量に対応する測定値を決定する測定部と、前記測定値を表示する表示部と、を備え、郵便番号を入力または選択させ、測定中の前記測定値を前記表示部に表示すると同時に入力または選択された郵便番号に対応する地区の政府または地方公共団体が定めた基準値を前記比較値として前記表示部に表示するものとした。
【００１３】
上記本発明の構成により、測定部が物理量に対応する測定値を決定する。表示部が前記測定値を表示する。郵便番号を入力または選択させる。測定中の前記測定値を前記表示部に表示すると同時に入力または選択された郵便番号に対応する地区の政府または地方公共団体が定めた基準値を比較値として前記表示部に表示する。その結果、簡易に政府または地方公共団体を選択でき、政府または地方公共団体の定めた基準値と測定中の測定値とを比較できる。
【００１４】
さらに、本発明の実施形態に係る測定装置は、直交グラフが前記表示部に表示され、
前記測定値がすくなくとも２つの値の組み合わせであり、測定中の前記測定値または他の前記測定値の一方を前記直交グラフに２つの前記値を要素に持つベクトルで表示され、測定中の前記測定値または他の前記測定値の他方を前記直交グラフに２つの前記値を要素に持つ点で表示されてもよい。
上記本発明の構成により、測定中の前記測定値または他の前記測定値の一方を前記直交グラフに２つの前記値を要素に持つベクトルで表示され、測定中の前記測定値または他の前記測定値の他方を前記直交グラフに２つの前記値を要素に持つ点で表示されるので、他の測定値と測定中の測定値とを容易に区別できる。
【００１５】
上記目的を達成するため、本発明に係る物理量を測定する測定方法を、物理量に対応する測定値を決定する測定工程と、測定中の前記測定値を表示すると同時に内部に記録された他の前記測定値を比較値として表示する表示工程と、を備えるものとした。
【００１６】
上記本発明の構成により、物理量に対応する測定値を決定する。測定中の前記測定値を表示すると同時に内部に記録された他の前記測定値を比較値として表示する。その結果、他の測定値と測定中の測定値とを比較できる。
【００１７】
さらに、本発明の実施形態に係る測定方法は、内部に記録された複数の前記測定値を表示して、表示された複数の前記測定値の内から少なくとも一つの前記測定値を選択させる選択工程を備え、前記表示工程が測定中の前記測定値を表示すると同時に選択された前記測定値を前記比較値として表示する。
上記実施形態の構成により、内部に記録された複数の前記測定値を表示して、表示された複数の前記測定値の内から少なくとも一つの前記測定値を選択させる。測定中の前記測定値を表示すると同時に選択された前記測定値を前記比較値として表示する。その結果、過去に決定された測定値と測定中の測定値とを比較できる。
【００１８】
上記目的を達成するため、本発明に係る物理量を測定する測定方法を、物理量に対応する測定値を決定する測定工程と、複数の政府または地方公共団体の内から少なくとも一つの政府または地方公共団体を選択させる選択工程と、測定中の前記測定値を表示すると同時に選択された政府または地方公共団体が定めた基準値を比較値として表示する表示工程と、を備えるものとした。
【００１９】
上記実施形態の構成により、物理量に対応する測定値を決定する。複数の政府または地方公共団体の内から少なくとも一つの政府または地方公共団体を選択させる。測定中の前記測定値を表示すると同時に選択された政府または地方公共団体が定めた基準値を比較値として表示する。その結果、少なくとも一つの政府または地方公共団体の定めた基準値と測定中の測定値とを比較できる。
【００２０】
上記目的を達成するため、本発明に係る物理量を測定する測定方法を、物理量に対応する測定値を決定する測定工程と、郵便番号を入力または選択させる選択工程と、測定中の前記測定値を表示すると同時に入力または選択された郵便番号に対応する地区の政府または地方公共団体が定めた基準値を前記比較値として表示する表示工程と、を備えるものとした。
【００２１】
上記本発明の構成により、物理量に対応する測定値を決定する。郵便番号を入力または選択させる。測定中の前記測定値を表示すると同時に入力または選択された郵便番号に対応する地区の政府または地方公共団体が定めた基準値を前記比較値として表示する。その結果、簡易に政府または地方公共団体を選択でき、政府または地方公共団体の定めた基準値と測定中の測定値とを比較できる。
【００２２】
さらに、本発明の実施形態に係る測定方法は、政府または地方公共団体の定めた基準値を順次更新して記憶するサーバを準備するサーバ準備工程と、前記サーバから前記基準値をダウンロードして記録するパソコンを準備するパソコン準備工程と、前記パソコンに前記測定値をアップロードする際に前記パソコンから前記基準値をダウンロードして内部に記憶された前記基準値を更新する更新工程と、を備えるものとした。
上記本発明の構成により、サーバが、政府または地方公共団体の定めた基準値を順次更新して記憶する。パソコンが、前記サーバから前記基準値をダウンロードして記録する。前記パソコンに前記測定値をアップロードする際に前記パソコンから前記基準値をダウンロードして内部に記憶された前記基準値を更新する。その結果、測定装置の操作をする者は、意識せずに政府または地方公共団体の定めた最新の基準値と測定中の測定値とを比較できる。
【００２３】
上記目的を達成するため、本発明に係る物理量を測定する測定プログラムを、コンピュータに、物理量に対応する測定値を決定する測定機能と、測定中の前記測定値を表示すると同時に内部に記録された他の前記測定値を比較値として表示する表示機能と、を実行させるものとした。
【００２４】
上記本発明の構成により、コンピュータが、物理量に対応する測定値を決定し、測定中の前記測定値を表示すると同時に内部に記録された他の前記測定値を比較値として表示する。その結果、他の測定値と測定中の物理量と比較できる。
【００２５】
さらに、本発明の実施形態に係る測定プログラムは、コンピュータに、内部に記録された複数の前記測定値を表示させ、表示された複数の前記測定値の内から少なくとも一つの前記測定値を選択させる選択機能を実行させ、測定中の前記測定値を表示すると同時に選択された前記測定値を前記比較値として表示させる。
上記本発明の構成により、コンピュータが、内部に記録された複数の前記測定値を表示して、表示された複数の前記測定値の内から少なくとも一つの前記測定値を選択させ、測定中の前記測定値を表示すると同時に選択された前記測定値を前記比較値として表示する。その結果、過去に測定された複数の測定値の内の少なくとも一つの測定値と測定中の測定値とを比較できる。
【００２６】
上記目的を達成するため、本発明に係る物理量を測定する測定プログラムを、コンピュータに、物理量に対応する測定値を決定する測定機能と、複数の政府または地方公共団体の内から少なくとも一つの政府または地方公共団体を選択させる選択機能と、測定中の前記測定値を表示すると同時に選択された政府または地方公共団体が定めた基準値を比較値として表示する表示機能と、を実現させるものとした。
【００２７】
上記本発明の構成により、コンピュータが、物理量に対応する測定値を決定し、複数の政府または地方公共団体の内から少なくとも一つの政府または地方公共団体を選択させ、測定中の前記測定値を表示すると同時に選択された政府または地方公共団体が定めた基準値を比較値として表示する。その結果、少なくとも一つの政府または地方公共団体の定めた基準値と測定中の測定値とを比較できる。
【００２８】
上記目的を達成するため、本発明に係る物理量を測定する測定プログラムを、コンピュータに、物理量に対応する測定値を決定する測定機能と、郵便番号を入力または選択させる選択機能と、測定中の前記測定値を表示すると同時に入力または選択された郵便番号に対応する地区の政府または地方公共団体が定めた基準値を前記比較値として表示する表示機能と、を実現させるものとした。
【００２９】
上記本発明の構成により、コンピュータが、物理量に対応する測定値を決定し、郵便番号を入力または選択させ、測定中の前記測定値を表示すると同時に入力または選択された郵便番号に対応する地区の政府または地方公共団体が定めた基準値を前記比較値として表示する。その結果、簡易に政府または地方公共団体を選択でき、政府または地方公共団体の定めた基準値と測定中の測定値とを比較できる。
【００３０】
さらに、本発明の実施形態に係る測定装置は、コンピュータに、パソコンに前記測定値をアップロードする際に前記パソコンから前記基準値をダウンロードして内部に記憶された前記基準値を更新する更新機能を実現させる。
上記本発明の構成により、コンピュータが、パソコンに前記測定値をアップロードする際に前記パソコンから前記基準値をダウンロードして内部に記憶された前記基準値を更新する。その結果、測定装置の操作をする者は、意識せずに政府または地方公共団体の定めた最新の基準値と測定中の測定値とを比較できる。
【発明の効果】
【００３１】
以上説明したように本発明に係る物理量を測定する測定装置と測定方法と測定プログラムは、その構成により、以下の効果を有する。
物理量に対応する測定値を決定し、測定中の前記測定値を表示すると同時に内部に記録された他の前記測定値を比較値として表示する様にしたので、他の測定値と測定中の物理量とを比較できる。
さらに、内部に記録された複数の前記測定値を表示して、表示された複数の前記測定値の内から少なくとも一つの前記測定値を選択させ、測定中の前記測定値を表示すると同時に選択された前記測定値を前記比較値として表示する様にしたので、過去に測定された測定値と測定中の測定値とを比較できる。
物理量に対応する測定値を決定し、複数の政府または地方公共団体の内から少なくとも一つの政府または地方公共団体を選択させ、測定中の前記測定値を表示すると同時に選択された政府または地方公共団体が定めた基準値を比較値として表示する様にしたので、少なくとも一つの政府または地方公共団体の定めた基準値と測定中の測定値とを比較できる。
物理量に対応する測定値を決定し、郵便番号を入力または選択させ、測定中の前記測定値を表示すると同時に入力または選択された郵便番号に対応する地区の政府または地方公共団体が定めた基準値を前記比較値として表示する様にしたので、簡易に政府または地方公共団体を選択でき、政府または地方公共団体の定めた基準値と測定中の測定値とを比較できる。
さらに、サーバが政府または地方公共団体の定めた基準値を順次更新して記憶し、パソコンが前記サーバから前記基準値をダウンロードして記録し、前記パソコンに前記測定値をアップロードする際に前記パソコンから前記基準値をダウンロードして内部に記憶された前記基準値を更新する様にしたので、測定装置の操作をする者は、意識せずに政府または地方公共団体の定めた最新の基準値と測定中の測定値とを比較できる。
また、測定中の前記測定値または他の前記測定値の一方を前記直交グラフに２つの前記値を要素に持つベクトルで表示され、測定中の前記測定値または他の前記測定値の他方を前記直交グラフに２つの前記値を要素に持つ点で表示され様にするので、他の測定値と測定中の測定値とを容易に区別できる。
従って、簡易な構成で、使いやすい物理量を測定する測定装置と測定方法と測定プログラムとを提供できる。
【発明を実施するための最良の形態】
【００３２】
以下、本発明を実施するための最良の形態を、図面を参照して説明する。なお、各図において、共通する部分には同一の符号を付し、重複した説明を省略する。
以下では、説明の容易のために、測定装置が匂い測定装置であるとして説明する。
【００３３】
最初に、本発明の第一の実施形態に係る匂い測定装置１０を、図を基に、説明する。
図１は、本発明の第一の実施形態に係る匂い測定装置の概念図である。図２は、本発明の実施形態に係る測定装置の測定部の部分概念図である。図３は、本発明の実施形態に係る匂いセンサの概念図である。図４は、本発明の実施形態に係る匂いセンサの出力図である。図５は、本発明の実施形態に係る匂いのベクトル図である。
【００３４】
測定装置１０は、物理量を測定する装置であって、測定部１１と表示部１２とで構成される。
測定部１１は、物理量に対応する測定値を決定する部分である。
表示部１２は、測定値を表示する部分である。
例えば、匂い測定装置は、匂いを測定する装置である。匂い測定装置の測定部は、匂いを測定し、臭いに対応した臭香強度値と臭香質値とを決定する。
【００３５】
最初に、本発明の実施形態に係る測定装置の測定部１１の構成を説明する。
例えば、匂い測定装置の測定部１１は、気体の匂いに対応する測定値を決定する装置であって、匂いセンサ１００と気体供給手段２００と無臭ガス供給手段３００と測定チャンバー４００と気体排出手段５００とデータ処理部６００とで構成される。
測定値は、測定対象の物理量に対応する値である。
例えば、測定値が、臭香強度値と臭香質値である。
臭香強度値は、匂いの強さを定量化した値である。
臭香質値は、匂いの種類（質）を定量化した値である。
【００３６】
匂いセンサ１００は、匂いの強さに応じた出力値を出力するセンサである。
匂いセンサ１００は、気体の匂いを感じることをできる感応部１０１をもつ。感応部１０１は、例えば、金属酸化物半導体で構成される。匂い物質が感応部に付着すると、感応部の電気的特定が匂い物質の量と種類により変化する。
図３は、匂いセンサの概念図を示す。
例えば、匂いセンサ１００は、感応部１０１とヒータ１０２とスイッチング素子１０３と負荷抵抗１０４と電源１０５とで構成される。
【００３７】
感応部１０１は、気体の匂いを感じることをできる部分である。
感応部１０１は、例えば、触媒が添加された金属酸化物半導体でできたものである。素材の種類、触媒の種類、構造等によって、匂いを構成する匂い分子に対する感度に大きな差が生じる。
感応部１０１は、後述する測定チャンバー４００に露出する。
【００３８】
ヒータ１０２は、感応部１０１を加熱するものであり、例えが、白金薄膜である。
感応部１０１とヒータ１０２は、一体構造をしている。ヒータ１０２は、通電されて発熱し、感応部１０１を所定の温度に加熱することができる。例えば感応部１０１が金属酸化物半導体である場合、所定の温度は約４００℃である。この様にすると、感応部１０１が周囲温度変化や水分の存在により影響をうけることが少なくなり、匂いセンサの感度の低下を防止できる。また、感応部１０１に付着した匂い分子を洗浄空気で洗浄除去するのが容易になる。
ヒータ１０２は、パルス電流を印加されて、発熱するのが好ましい。
【００３９】
スイッチング素子１０３は、ヒータ１０２に電流を供給するための電子素子である。スイッチング素子１０３は、パルス状のヒータ加熱パルス１０６を入力され、ヒータ１０２にパルス状の電流を供給する。
ヒータ加熱パルス１０６は、入力抵抗を介して、スイッチング素子に入力されるのが好ましい。
【００４０】
負荷抵抗１０４は、感応部１０１に直列接続された抵抗回路である。負荷抵抗１０４は、抵抗素子で構成された回路でもよいし、抵抗素子とコンデンサとが並列接続された回路でもよい。
【００４１】
電源１０５が、感応部１０１とヒータ１０２とに電流を供給する。
匂い測定出力１０７が、感応部１０１と負荷抵抗１０４との接続点から出力する。
【００４２】
揮発性の還元性化学物質である匂い物質が感応部１０１に付着すると、感応部１０１の酸素に電子を供給する。感応部１０１の電子が増加するために、感応部の電気伝導度が高くなる。
複数の匂いセンサ１００の匂い測定出力Ｖｃｃをモニタすると、匂い物質の量と種類とを測定することができる。
【００４３】
匂いセンサ１００は、匂いセンサＡ１００ａと匂いセンサＢ１００ｂとで構成される。
匂いセンサＡ１００ａの感応特性と匂いセンサＢ１００ｂの感応特性とが匂いの質によって異なる。
例えば、匂いセンサＡ１００ａは分子量の大きな匂い物質に対して電気的特性の変動が大きく、匂いセンサＢ１００ｂは、分子量の小さな匂い物質に対して電気的特性の変動が大きい。
【００４４】
例えば、匂いセンサＡ１００ａの感応部１０１は、分子量が比較的大きく揮発性の低い重質系の匂い分子に対して高い感度を持つ。重質系の匂い分子の代表例は、不飽和芳香族炭化水素化合物である。
例えば、匂いセンサＢ１００ｂの感応部１０１は、分子量が比較的小さく揮発性の高い軽質系の匂い分子に対して高い感度を持つ。軽質系の匂い分子の代表例は、アルコールである。
匂いセンサＡ１００ａ、匂いセンサＢ１００ｂの匂い測定出力の組み合わせから、匂い物質の量と匂い物質の種類を特定することができる。
【００４５】
複数の匂いセンサ１００ａ、１００ｂの匂い測定出力Ｖｃｃをモニタすると、匂い物質の量と種類とを測定することができる。
以下に、その原理を説明する。
【００４６】
臭気および香気は、一般的に単体の化学物質で存在することはまれである。種々の単体化学物質が混合した複合臭が、人間の嗅覚に刺激を与える。このために、人間の嗅覚にあたえた感覚量と匂い測定装置の出力値の相関は極めて複雑な様子となる。
匂いセンサの素子として用いる金属酸化物半導体は、良好な耐久性と嗅覚との良好な相関とを持つ。この形式の匂いセンサの感応特性は、比較的広い幅をもって多種の臭香物質に反応する。また、触媒と温度による酸化還元反応制御、多孔質な物理的形状による分子量選択性を調整して、感応特性を選択することが可能である。従って、匂い物質に対して感応選択性をもたせることが可能である。
すなわち、硫化水素などの硫黄化合物、アンモニア、アルコール等のヒドロキシル基を有するもの、アセトアルデヒド等のアルデヒド基を有するもの、酢酸などのカルボキシル基を有するもの、トリニトロアミン等のアミノ基を有するもの、酢酸エチル等のエステル結合を有するもの、トルエン・キシレン等の芳香族炭化水素などに、分類可能な特徴的な感応特性を有するセンサ素子を製作することができる。
したがって、匂いセンサ素子の組み会わせと、その各々の出力値を各種に組合わせた計算によって臭香を判定をすることが可能になる。
【００４７】
以下に、２つの匂いセンサの匂い測定出力Ｖｃｃを用いて、匂いの強さと匂いの種類を測定する方法を、図を基に、説明する。
図４は、本発明の実施形態に係る匂い出力のベクトルを示す。
図中において、
Ａоは、匂いセンサ１００ａの出力値Ｖｃｃである。
Ａｚは、匂いセンサ１００ａの校正値Ｖｃｃである。
Ｂоは、匂いセンサ１００ｂの出力値Ｖｃｃである。
Ｂｚは、匂いセンサ１００ｂの校正値Ｖｃｃである。
出力値Ａо、Ｂоは、ガスを感応部に供給した際の、匂い測定出力Ｖｃｃである。
校正値Ａｚ、Ｂｚは、無臭空気を感応部に供給した際の、匂い測定出力Ｖｃｃである。
ベクトル図は、重質系に感度の高い匂いセンサＡ１００ａの出力値Ｖｃｃを校正値Ｖｃｃで校正した値（Ａо−Ａｚ）をＸ軸の要素とし、軽質系に感度の高い匂いセンサＢ１００ｂの出力値Ｖｃｃを校正値Ｖｃｃで校正した値（Ｂо−Ｂｚ）をＹ軸の要素としたときに得られるベクトルを表示した直交座標系である。このベクトルを匂いベクトルと呼称する。
図４は、軽質系の匂い成分が重質系の匂い成分より多い匂い１を表す匂いベクトルと重質系の匂い成分が軽質系の匂い成分より多い匂い２を表す匂いベクトルとを示している。
このベクトル図において、例えば、匂いベクトルの長さを「臭香強度値」と呼び、匂いベクトルの傾きまたは向きを数値化した値を「匂いの種類」を表す「臭香質値」と呼ぶ。
この「臭香強度値」と匂いの強さとの相関と「臭香質値」と匂いの種類に対する相関とが、人間の感度に近似していることが、実験により確かめられている。
【００４８】
気体供給手段２００は、気体を感応部に供給することをできる装置である。
例えば、測定チャンバー４００が匂い測定装置に設けられる場合、気体供給手段２００は気体導入手段２１０で構成される。
気体導入手段２１０は、気体を測定空間Ｈに導入する手段であり、試料吸込管２１１と試料バルブ２１２と試料導入管２１３とで構成される。
試料吸込管２１１は、外部と試料バルブ２１２とを連通する配管である。配管は、匂い物質の付着しにくい素材（例えば、ＰＴＦＥ製のチューブ）で出来ている。
試料バルブ２１２は開閉可能な弁である。例えは、試料バルブ２１２は、電気信号のオン信号またはオフ信号に従って、通路を開状態または閉状態にすることをできる。
試料導入管２１３は、試料バルブ２１２と測定チャンバー４００とを連通する配管である。
従って、オン信号を試料バルブ２１２に与えると、試料バルブ２１２が開状態になり、外部から試料を測定空間Ｈに導入可能になる。オフ信号を試料バルブ２１２に与えると、試料バルブ２１２が閉状態になり、外部から試料を測定空間Ｈに導入不能になる。
【００４９】
無臭ガス供給手段３００は、無臭ガスを感応部に供給することをできる装置である。
例えば、測定チャンバーが匂い測定装置に設けられる場合、無臭ガス供給手段３００は無臭ガス生成手段３１０と無臭ガス導入手段３２０とで構成される。
無臭ガス生成手段３１０は、無臭ガスを生成するものであり、例えば、活性炭が充填されたケースである。
無臭ガス導入手段３２０は、洗浄吸入管３２１と洗浄バルブ３２２と洗浄導入管３２３とで構成される。
洗浄吸入管３２１は、無臭ガス生成手段３１０と洗浄バルブ３２２とを連通する配管である。  
洗浄バルブ３２２は、開閉可能な弁である。例えは、洗浄バルブ３２２は、電気信号のオン信号またはオフ信号に従って、通路を開状態または閉状態にすることをできる。
洗浄導入管３２３は、洗浄バルブ３２２と測定チャンバー４００とを連通する配管である。
従って、オン信号を洗浄バルブ３２２に与えると、洗浄バルブ３２２が開状態になり、無臭ガスを測定空間Ｈへ導入可能になる。オフ信号を洗浄バルブ３２２に与えると、洗浄バルブ３２２が閉状態になり、無臭ガスを測定空間Ｈへ導入不能になる。
【００５０】
測定チャンバー４００は、密閉可能な測定空間Ｈを持つ容器状装置である。匂いセンサ１００の感応部１０１が、測定空間Ｈに露出している。したがって、匂い物質の混ざった気体を測定空間Ｈに導入すると、気体が感応部に供給されて、匂い物質が感応部に付着する。
【００５１】
気体排出手段５００は、測定チャンバー４００から気体を排出する装置であり、気体排出管５０１、５０３、５０５と排出バルブ５０２と気体排出ポンプ５０４とで構成される。
気体排出管５０１は、測定チャンバー４００と排出バルブ５０２とを連通する配管である。
排出バルブ５０２は、開閉可能な弁である。例えは、排出バルブ５０２は、電気信号のオン信号またはオフ信号に従って、通路を開状態または閉状態にすることをできる。
気体排出管５０３は、排出バルブ５０２と気体排出ポンプ５０４の入口とを連通する配管である。
気体排出ポンプ５０４は、測定空間Ｈから気体を排出するポンプである。例えば、ポンプは、ファン、ブロア、ダイヤフラムポンプ等である。
気体排出管５０５は、気体排出ポンプ５０４の出口と外部とを連通する配管である。
従って、排出バルブ５０２にオン信号を与えて、気体排出ポンプ５０４を駆動すると、測定空間Ｈの気体が外部へ排出される。
【００５２】
データ処理部６００は、匂いセンサ１００、気体供給手段２００、無臭ガス供給手段３００、及び気体排出手段５００を制御して、気体の匂いを測定し、データ処理する装置である。
データ処理部６００は、主制御部６０１とパルス発生部６０２と測定時間設定タイマー６０３とインターフェース部６０４とＡ／Ｄ変換部６０５とデータ記憶部６０６とデータ演算部６０７と表示駆動部６０８とで構成される。
主制御部６０１は、内蔵する制御プログラムに従って作動し、パルス発生部６０２と測定時間設定タイマー６０３とインターフェース部６０４とＡ／Ｄ変換部６０５とデータ記憶部６０６とデータ演算部６０７と表示部６０８とを制御する。
パルス発生部６０２は、所定の周期とパルス数を有するパルス制御信号を発生し、匂いセンサ１００のスイッチング素子１０３に供給する部分である。所定の周期とパルス数は、ヒータ１０２の加熱温度に応じて設定される。
測定時間設定タイマー６０３は、主制御部６０１に測定の為のタイミング信号を出力する。
【００５３】
インターフェース部６０４は、主制御部６０１からの信号またはデータを外部へ出力し、外部からの信号またはデータを主制御部６０１に取り込むための入出力部である。インターフェース部６０４は、例えば、外部のパソコンに繋がる。匂いセンサ１００匂い測定出力の時間変化のデータ、匂いの強度と匂いの種類の測定結果は、インターフェース部６０４を介して外部のパソコン２０に転送される。
Ａ／Ｄ変換部６０５は、匂いセンサ１００からの匂い測定出力を所定のタイミングで取り込み、アナログ／デジタル変換し、デジタルデータを主制御部６０１へ送る。
データ記憶部６０６は、主制御部６０１からの指定に従って、匂い測定出力を記憶する機器である。
データ演算部６０７は、データ記憶部６０６に記録された匂い測定データを取り込み、データ記憶部６０６に保存する。
表示駆動部６０８は、表示部１２を駆動する。
【００５４】
次に、本発明の実施形態にかかる測定装置の表示部１２を、図を基に説明する。
図６は、本発明の実施形態に係る測定装置の表示部の概念図である。
匂い測定装置の表示部は、測定値を表示する部分であり、表示画面７００と操作ボタン８００とで構成される。
【００５５】
表示画面７００は、測定値Ｄ１と比較値Ｄ２とを表示する画面である。
例えば、表示画面７００は液晶ディスプレイである。
測定装置は、測定中の測定値Ｄ１を表示部１１に表示すると同時に、内部に記録された他の測定値Ｄ２を比較値として表示部１１に表示する、  
例えば、測定中の測定値Ｄ１と他の測定値Ｄ２とを比較できる様に並べて表示画面７００に表示する。
【００５６】
また、測定装置は、内部に記録された複数の測定値を表示して、表示された複数の測定値の内から少なくとも一つの測定値を選択させ、測定中の測定値Ｄ１を表示部１１に表示すると同時に選択された測定値Ｄ２を比較値として表示部１１に表示してもよい。
例えば、過去に測定された複数の測定値を表示画面７００に表示し、操作ボタンを操作して、複数の測定値の内から一つの測定値Ｄ２を選択する。
測定中の測定値Ｄ１と選択した測定値Ｄ２とを比較できる様に並べて表示画面７００に表示する。
【００５７】
また、測定装置は、複数の政府または地方公共団体の内から少なくとも一つの政府または地方公共団体を選択させ、測定中の測定値を表示部に表示すると同時に選択した政府または地方公共団体が定めた基準値を比較値として表示部に表示してもよい。
例えば、基準値は、地方政府または地方公共団体が法令または条例等で定める環境基準値である。
例えば、複数の政府または地方公共団体の名称またはコードを表示画面７００に表示し、操作ボタン８００を操作して複数の政府または地方公共団体の内から一つの政府または地方公共団体を選択する。
測定装置は、政府または地方公共団体の名称に関連づけて政府または地方公共団体が定めた基準値を記憶する。
複数の基準が、政府または地方公共団体の名称に関連づけられてもよい。例えば、工業地区と商業地区と住居地区とで異なる基準値が関連づけられる。
選択した政府または地方公共団体の名称に関連づけられた基準値を呼び出す。
測定中の測定値を表示画面に表示すると同時に、呼び出した基準値を比較値として表示画面に表示する。
【００５８】
また、測定装置は、郵便番号を入力または選択させ、測定中の測定値を表示部１１に表示すると同時に、入力または選択された郵便番号に対応する地区の政府または地方公共団体が定めた基準値を比較値として表示部１１に表示してもよい。
例えば、複数の郵便番号から一つの郵便番号を選択させる。
また、操作ボタン８００を用いて郵便番号を入力させる。
測定装置は、郵便番号に関連づけて政府または地方公共団体が定めた基準値を記憶する。
選択または入力した郵便番号に関連づけられた基準値を呼び出す。
測定中の測定値を表示画面に表示すると同時に、呼び出した基準値を比較値として表示画面に表示する。
【００５９】
また、測定装置は、パソコンに測定値をアップロードする際にパソコンから基準値をダウンロードして内部に記憶した基準値を更新してもよい。
【００６０】
次に、表示画面に表示する複数の表示パターンを、図を基に説明する。
図７は、本発明の実施形態に係る測定装置の表示部のパターンその１である。図８は、本発明の実施形態に係る測定装置の表示部のパターンその２である。図９は、本発明の実施形態に係る測定装置の表示部のパターンその３である。図１０は、本発明の実施形態に係る測定装置の表示部のパターンその４である。図１１は、本発明の実施形態に係る測定装置の表示部のパターンその５である。図１２は、本発明の実施形態に係る測定装置の表示部のパターンその６である。
【００６１】
第一の表示パターンを説明する。
図７は、第一の表示パターンを示す。
表示画面７００は、ヘッダー部７１０と数値部７２０とグラフ／ガイダンス部７３０とファンクション部７４０とで構成される。
ヘッダー部７１０は、測定値番号と測定日付と測定時間と測定値とを表示する部分である。
測定値番号を測定値を特定する番号である。
測定日付は、測定した日付である。
測定時間は、測定した時間である。例えば、測定時間は１秒毎に変化する。
測定値は、測定時間毎の値である。
数値部７２０は、測定中の測定値をデジタル表示する部分である。
グラフ／ガイダンス部７３０は、操作員に対するダイアログを示したり、測定値と比較値とを各種のグラフ形式で表示する部分である。
ファンクション部７４０は、操作ボタンで選択できるファンクションを表示する部分である。
【００６２】
グラフ／ガイダンス部７３０は、比較対象データ部７３１と測定データ部７３２とで構成される。
比較対象データ部７３１は、測定中の測定値Ｄ１と比較値Ｄ２とを縦方向に並べて表示させる部分である。
測定データ部７３２は、記録された測定値の名称をスクロールして表示する部分である。
操作ボタンを用いて、測定データ部７３２の名称をスクロールさせ、複数の測定値の内から一つの測定値を選択する。選択された測定値が、比較値として比較対象データ部７２１に表示される。
選択された測定値のうち平均値または最大値を表示してもよい。
図中、ｆｆは、香質値であり、ｓｓｓｓは、臭香強度値を表す。
【００６３】
次に、第二の表示パターンを説明する。
図８は、第二の表示パターンを示す。
表示画面７００は、ヘッダー部７１０と数値部７２０とグラフ／ガイダンス部７３０とファンクション部７４０とで構成される。
ヘッダー部７１０と数値部７２０とファンクション部７４０とは、第一の表示パターンのものと同じなので、説明を省略する。
【００６４】
グラフ／ガイダンス部７３０は、ベクトル表示部７３３で構成される。
測定中の測定値と比較値とが、ベクトル表示部に匂いベクトルの形式で表示される。
例えば、直行座標グラフが、ベクトル表示部７３３に表示される。
直行座標グラフは、Ｘ軸を匂いセンサ１００ａの校正値とし。Ｙ軸を匂いセンサ１００ｂの校正値とした、Ｘ−Ｙグラフである。
測定中の測定値Ｄ１が、直行座標グラフのベクトル表示される。選択された測定値Ｄ２が、比較値として、直行座標グラフに点で表示される。
【００６５】
次に、第三の表示パターンを説明する。
図９は、第三の表示パターンを示す。
表示画面７００は、ヘッダー部７１０と数値部７２０とグラフ／ガイダンス部７３０とファンクション部７４０とで構成される。
ヘッダー部７１０と数値部７２０とファンクション部７４０とは、第一の表示パターンのものと同じなので、説明を省略する。
【００６６】
グラフ／ガイダンス部７３０は、指数表示部７３４で構成される。
測定中の測定値Ｄ１と比較値とが、ベクトル表示部に指数形式で表示される。
例えば、指数グラフが、指数表示部７３４に表される。
指数グラフは、指数表示部７３４に表される。
指数グラフは、横軸を匂い指数値とし、縦軸を臭香強度値としたグラフである。
臭香強度値を匂い指数値に検量する検量線Ｋが表させる。
検量線Ｋは、臭香強度値と匂い指数値との相関を表す線である。
例えば、測定中の測定値Ｄ１が、実線で表される。選択された測定値Ｄ２が、比較値として、破線で表される。
【００６７】
次に、第四の表示パターンを説明する。
図１０は、第四の表示パターンを示す。
表示画面７００は、ヘッダー部７１０と数値部７２０とグラフ／ガイダンス部７３０とファンクション部７４０とで構成される。
ヘッダー部７１０と数値部７２０とファンクション部７４０とは、第一の表示パターンのものと同じなので、説明を省略する。
【００６８】
グラフ／ガイダンス部７３０は、ロガー表示部７３５で構成される。
測定中の測定値と比較値とが、ロガー表示部７３５に折れ線形式で表示される。  
例えば、横軸を時間軸とし縦軸を臭香強度値または臭香質値とした直交グラフが、ロガー表示部７２５に表示される。
測定中の測定値Ｄ１が、折れ線で表される。選択された測定値が、比較値Ｄ２として、折れ線で表される。
測定値Ｄ１は、測定中の臭香強度値と臭香質値である。
比較値Ｄ２は、選択された測定値の臭香強度値と臭香質値である。
測定値Ｄ１と比較値Ｄ２とは、区別を容易にするために、色分けされる。
【００６９】
次に、第五の表示パターンを説明する。
図１１は、第五の表示パターンを示す。
表示画面７００は、ヘッダー部７１０と数値部７２０とグラフ／ガイダンス部７３０とファンクション部７４０とで構成される。
ヘッダー部７１０と数値部７２０とファンクション部７４０とは、第一の表示パターンのものと同じなので、説明を省略する。
【００７０】
グラフ／ガイダンス部７３０は、指数表示部７３４で構成される。
測定中の測定値と比較値とが、ベクトル表示部に指数形式で表示される。
例えば、指数グラフが、指数表示部７３４に表される。
指数グラフは、指数表示部７３４に表される。
指数グラフは、横軸を匂い指数値とし、縦軸を臭香強度値としたグラフである。
臭香強度値を匂い指数値に検量する検量線Ｋが表させる。
測定中の測定値Ｄ１が、実線で表される。
測定値Ｄ１は、測定中の臭香強度値と臭香質値である。
選択された政府または地方公共団体の基準値Ｘ１、Ｘ２、Ｘ３が、比較値として、一定の幅の匂い指数値を持った縦状の帯で表される。
【００７１】
次に、第六の表示パターンを説明する。
図１１は、第四の表示パターンを示す。
表示画面７００は、ヘッダー部７１０と数値部７２０とグラフ／ガイダンス部７３０とファンクション部７４０とで構成される。
ヘッダー部７１０と数値部７２０とファンクション部７４０とは、第一の表示パターンのものと同じなので、説明を省略する。
【００７２】
グラフ／ガイダンス部７３０は、ロガー表示部７３５で構成される。
測定中の測定値と比較値とが、ロガー表示部７３５に折れ線形式で表示される。  
例えば、横軸を時間軸とし縦軸を臭香強度値または臭香質値とした直交グラフが、ロガー表示部７２５に表示される。
測定中の測定値Ｄ１が、折れ線で表される。選択された政府または地方公共団体の基準値Ｘ１、Ｘ２、Ｘ３が、比較値として、横に伸びた帯で表される。
測定値Ｄ１は、測定中の臭香強度値と臭香質値である。
比較値Ｄ２は、選択された政府または地方公共団体の匂い指数値である。
【００７３】
次に、本発明の実施形態にかかる測定装置の運用を、図を基に、説明する。
図１３は、本発明の実施形態に係る測定装置の運用図である。
パソコン２０とサーバ３０とが、電子通信網４０を介して通信可能につながる。
例えば、電子通信網４０は、電話回線、無線回線、インターネット等である。
サーバ３０は、政府または地方公共団体の定めた基準値を順次更新して記憶する。
例えば、サーバ３０は、測定装置のメーカが管理する。
パソコン２０は、測定値を保存するコンピュータである。パソコン２０は、サーバから基準値をダウンロードして記録する。例えば、パソコン２０は、測定装置のユーザが管理するコンピュータである。
測定装置は、パソコンに通信可能に接続される。
【００７４】
次に、本発明の第一の実施形態にかかる測定方法を、図を基に、説明する。
図１４は、本発明の第一の実施形態にかかる測定方法のフローチャート図である。  
測定方法は、選択工程Ｓ１０と測定工程Ｓ２０と表示工程Ｓ３０とで構成される。
選択工程Ｓ１０は、過去に測定された複数の測定値の内から少なくとも一つの測定値を選択させる工程である。
例えば、過去に測定された複数の測定値を表示し、操作ボタンを操作して、複数の測定値の内から一つの測定値Ｄ２を選択する。
【００７５】
測定装置Ｓ２０は、物理量に対応する測定値を決定する工程である。
例えば、気体の匂いの強度または匂いの質を測定し、臭香強度値と臭香質値とを決定する。
【００７６】
表示工程Ｓ３０は、測定中の前記測定値を表示すると同時に内部に記憶された他の前記測定値を比較値として表示する工程である。
測定中の測定値を表示すると同時に選択された測定値を比較値として表示してもよい。
例えば、測定中の測定値Ｄ１と選択した測定値Ｄ２とを比較できる様に並べて表示する。
【００７７】
次に、本発明の第二の実施形態にかかる測定方法を、図を基に、説明する。
図１５は、本発明の第二の実施形態にかかる測定方法のフローチャート図である。
測定方法は、選択工程Ｓ１０と測定工程Ｓ２０と表示工程Ｓ３０と更新工程Ｓ４０とで構成される。
選択工程Ｓ１０は、複数の政府または地方公共団体の内から少なくとも一つの政府または地方公共団体を選択させる工程である。
例えば、複数の政府または地方公共団体の名称を列記して、列記された政府または地方公共団体の名称の内から一つの名称を操作ボタンを操作して選択させる。
または、選択工程Ｓ１０は、郵便番号を入力または選択させる工程である。
例えば、複数の郵便番号を列記して、列記された複数の郵便番号の内からひとつの郵便番号を選択させる。
例えば、操作ボタンを操作して、郵便番号を入力させる。
【００７８】
測定装置Ｓ２０は、物理量に対応する測定値を決定する工程である。
例えば、気体の匂いの強度または匂いの質を測定し、臭香強度値と臭香質値を決定する。
【００７９】
表示工程Ｓ３０は、測定中の測定値を表示すると同時に、選択した政府または地方公共団体が定めた基準値を比較値として表示する工程である。
例えば、政府または地方公共団体の名称に関連づけて政府または地方公共団体が定めた基準値を予め記憶し、選択した政府または地方公共団体の名称に関連づけられた基準値を呼び出し、測定中の測定値を表示画面に表示すると同時に、呼び出した基準値を比較値として表示画面に表示する。
また、表示工程Ｓ３０は、測定中の測定値を表示すると同時に、入力または選択された郵便番号に対応する地区の政府または地方公共団体が定めた基準値を比較値として表示する工程である。
例えば、郵便番号に関連づけて政府または地方公共団体が定めた基準値を予め記憶し、選択または入力した郵便番号に関連づけられた基準値を呼び出し、測定中の測定値を表示すると同時に、呼び出した基準値を比較値として表示する。
【００８０】
更新工程Ｓ４０は、パソコンに測定値をアップロードするときに、パソコンから基準値をダウンロードして内部に記憶された基準値を更新する工程である。
パソコンは、ネットワークを介してサーバと通信可能である。
パソコンは、サーバから政府または地方公共団体が定めた基準値の最新のデータを入手する。
測定を終了した測定装置をパソコンに接続して、記録した測定値をパソコンにアップロードする。
パソコンの記憶する基準値が自動的に測定装置へダウンロードされる。
【００８１】
次に、本発明の第一の実施形態にかかる測定プログラムを、図を基に、説明する。
図１６は、本発明の第一の実施形態に係る測定プログラムの機能ブロック図である。
測定プログラムは、物理量を測定するプログラムであって、コンピュータに、選択機能Ｆ１０と測定機能Ｆ２０と表示機能Ｆ３０とを実現させるものである。
選択機能Ｆ１０は、内部に記憶された複数の測定値の内から少なくとも一つの測定値を選択させる機能である。
例えば、内部に記憶された複数の測定値のデータ番号を表示し、操作ボタンを操作して、複数の測定値の内から一つの測定値Ｄ２を選択する。
【００８２】
測定機能Ｆ２０は、物理量に対応する測定値を決定する機能である。
例えば、気体の匂いの強度または匂いの質を測定し、臭香強度値と臭香質値を決定する。
【００８３】
表示機能Ｆ３０は、測定中の測定値を表示すると同時に内部に記録された測定値を比較値として表示する機能である。
例えば、測定中の測定値Ｄ１と他の測定値Ｄ２とを比較できる様に並べて表示する。
測定中の測定値を表示すると同時に選択工程で選択された測定値を比較値として表示してもよい。
例えば、測定中の測定値Ｄ１と選択した測定値Ｄ２とを比較できる様に並べて表示する。
【００８４】
次に、本発明の第二の実施形態にかかる測定プログラムを、図を基に、説明する。
図１７は、本発明の第二の実施形態にかかる測定プロフラムの機能ブロック図である。
測定プログッラムは、コンピュータに、選択機能Ｆ１０と測定機能Ｆ２０と表示機能Ｆ３０と更新機能Ｆ４０とで構成される。
選択機能Ｆ１０は、複数の政府または地方公共団体の内から少なくとも一つの政府または地方公共団体を選択させる機能である。
例えば、複数の政府または地方公共団体の名称を表示し、操作ボタンを操作して、複数の名称の内から一つの名称を選択する。
または、選択機能Ｆ１０は、郵便番号を入力または選択させる機能である。
【００８５】
測定機能Ｆ２０は、物理量に対応する測定値を決定する機能である。
例えば、気体の匂いの強度または匂いの質を測定し、臭香強度値と臭香質値を決定する。
【００８６】
表示機能Ｆ３０は、測定中の測定値を表示すると同時に、選択した政府または地方公共団体が定めた基準値を比較値として表示する機能である。
例えば、政府または地方公共団体の名称に関連づけて政府または地方公共団体が定めた基準値を予め記憶し、選択された政府または地方公共団体の名称に関連づけられた基準値を呼び出し、測定中の測定値を表示画面に表示すると同時に、呼び出した基準値を比較値として表示画面に表示する。
また、表示機能Ｆ３０は、測定中の測定値を表示すると同時に、入力または選択された郵便番号に対応する地区の政府または地方公共団体が定めた基準値を比較値として表示する機能である。
例えば、郵便番号に関連づけて政府または地方公共団体が定めた基準値を予め記憶し、選択または入力した郵便番号に関連づけられた基準値を呼び出し、測定中の測定値を表示すると同時に、呼び出した基準値を比較値として表示する。
【００８７】
更新機能Ｆ４０は、パソコンに測定値をアップロードするときに、パソコンから基準値をダウンロードして古い基準値を更新する工程である。
サーバが、ネットワークに接続されている。サーバは、政府または地方公共団体が法令または条例で定めた環境基準値を逐次更新する。
パソコンは、ネットワークを介してサーバと通信可能である。
パソコンは、サーバから政府または地方公共団体が定めた基準値の最新のデータを入手し、基準値データベースＤＢへ記録する。
測定を終了した測定装置をパソコンに接続して、記録した測定値をパソコンにアップロードする。
パソコンの記憶する基準値が自動的に測定装置へダウンロードされ、測定装置の内部の記憶装置へ記憶される。
【００８８】
上述の実施形態の測定装置と測定方法と測定プログラムを用いれば、以下の効果を発揮する。
臭いの強さと質とに対応する測定値である臭香強度値と臭香質値を決定し、測定中の臭香強度値と臭香質値とを表示すると同時に内部に記録された他の臭香強度値と臭香質値とを比較値として表示する様にしたので、他の臭香強度値と臭香質値と測定中の臭香強度値と臭香質値とを比較できる。
臭いの強さと質とに対応する測定値である臭香強度値と臭香質値を決定し、内部に記録された複数の測定値を表示して、表示された複数の測定値の内から少なくとも一つの測定値を選択させる、測定中の臭香強度値と臭香質値とを表示すると同時に選択された測定値の臭香強度値と臭香質値を比較値として表示する様にしたので、過去に測定された臭香強度値と臭香質値と測定中の臭香強度値と臭香質値とを比較できる。
臭いの強さと質とに対応する測定値である臭香強度値と臭香質値を決定し、複数の政府または地方公共団体の内から少なくとも一つの政府または地方公共団体を選択させ、測定中の測定値を表示すると同時に選択された政府または地方公共団体が定めた基準値を比較値として表示する様にしたので、少なくとも一つの政府または地方公共団体の定めた基準値と測定中の臭香強度値または臭香質値とを比較できる。
臭いの強さと質とに対応する測定値である臭香強度値と臭香質値とを決定し、郵便番号を入力または選択させ、測定中の測定値を表示すると同時に入力または選択された郵便番号に対応する地区の政府または地方公共団体が定めた基準値を比較値として表示する様にしたので、簡易に政府または地方公共団体を選択でき、政府または地方公共団体の定めた基準値と測定中の臭香強度値または臭香質値とを比較できる。
さらに、サーバが政府または地方公共団体の定めた環境基準値を順次更新して記憶し、パソコンがサーバから基準値をダウンロードして記録し、パソコンに測定値をアップロードする際にパソコンから基準値をダウンロードして内部に記憶された基準値を更新する様にしたので、測定装置の操作をする者は、意識せずに政府または地方公共団体の定めた最新の基準値と測定中の測定値とを比較できる。
また、表示画面に表した直交グラフに、測定中の測定値と選択された測定値の一方を矢じり付き線でベクトル表示し、測定中の測定値と選択された測定値の他方を点であらわしす様にしたので、測定中の測定値と比較値とを区別しやすく表示できる。
【００８９】
本発明は以上に述べた実施形態に限られるものではなく、発明の要旨を逸脱しない範囲で各種の変更が可能である。
測定装置が臭いを測定する測定装置である場合を例に説明したが、これに限定されない。
郵便番号は、３桁でも７桁でもよい。
【図面の簡単な説明】
【００９０】
【図１】本発明の実施形態に係る測定装置の測定部の概念図である。
【図２】本発明の実施形態に係る測定装置の測定部の部分概念図である。
【図３】本発明の実施形態に係る匂いセンサの概念図である。
【図４】本発明の実施形態に係る匂いセンサの出力図である。
【図５】本発明の実施形態に係る匂いのベクトル図である。
【図６】本発明の実施形態に係る測定装置の表示部の概念図である。
【図７】本発明の実施形態に係る測定装置の表示部のパターンその１である。
【図８】本発明の実施形態に係る測定装置の表示部のパターンその２である。
【図９】本発明の実施形態に係る測定装置の表示部のパターンその３である。
【図１０】本発明の実施形態に係る測定装置の表示部のパターンその４である。
【図１１】本発明の実施形態に係る測定装置の表示部のパターンその５である。
【図１２】本発明の実施形態に係る測定装置の表示部のパターンその６である。
【図１３】本発明の実施形態に係る測定装置の運用図である。
【図１４】本発明の第一の実施形態に係る測定方法のフローチャート図である。
【図１５】本発明の第二の実施形態に係る測定方法のフローチャート図である。
【図１６】本発明の第一の実施形態に係る測定プログラムの機能ブロック図である。
【図１７】本発明の第二の実施形態に係る測定プログラムの機能ブロック図である。
【符号の説明】
【００９１】
Ｄ１    測定値
Ｄ２    比較値
Ｘ１    基準値
Ｘ２    基準値
Ｘ３    基準値
Ｋ    検量線
Ｈ    測定空間
１０    匂い測定装置
１１    測定部
１２    表示部
２０    パソコン
３０    サーバ
４０    電子通信網
１００    匂いセンサ
１００ａ  匂いセンサＡ
１００ｂ  匂いセンサＢ
１０１    感応部
１０２    ヒータ
１０３    スイッチング素子
１０４    負荷抵抗
１０５    電源
１０６    ヒータ加熱パルス
１０７    匂い測定出力
２００    気体導入手段
２０１    試料吸込管
２０２    試料バルブ
２０３    試料導入管
３００    無臭ガス供給手段
３１０    無臭ガス生成手段
３２０    無臭ガス導入手段
３２１    洗浄吸込管
３２２    洗浄バルブ
３２３    洗浄導入管
４００    測定チャンバー
５００    気体排出手段
５０１    気体排出管
５０２    排出バルブ
５０３    気体排出管
５０４    気体排出ポンプ
５０５    気体排出管
６００    データ処理部
６０１    主制御部
６０２    パルス発生部
６０３    測定時間設定タイマー
６０４    インターフェース部
６０５    Ａ／Ｄ変換部
６０６    データ記憶部
６０７    データ演算部
６０８    表示駆動部
７００    表示画面
７１０    ヘッダー部
７２０    数値部
７３０    グラフ／ガイダンス部
７３１    比較対象データ部
７３２    測定データ部
７３３    ベクトル表示部
７３４    指数表示部
７３５    ロガー表示部
７４０    ファンクション部
８００    操作ボタン
【図１】
2007010315.tif 000003
【図２】
2007010315.tif 000004
【図３】
2007010315.tif 000005
【図４】
2007010315.tif 000006
【図５】
2007010315.tif 000007
【図６】
2007010315.tif 000008
【図７】
2007010315.tif 000009
【図８】
2007010315.tif 000010
【図９】
2007010315.tif 000011
【図１０】
2007010315.tif 000012
【図１１】
2007010315.tif 000013
【図１２】
2007010315.tif 000014
【図１３】
2007010315.tif 000015
【図１４】
2007010315.tif 000016
【図１５】
2007010315.tif 000017
【図１６】
2007010315.tif 000018
【図１７】
2007010315.tif 000019